(57)【要約】【課題】電話帳、メールアドレス帳機能を備える携帯電話装置に適する、メール着信制御方式を提供することを課題とする。【解決手段】メールアドレス帳と名前と属性と優先ランクの組を複数登録するメモリと、メール着信時に交換機側から送られてくるメールアドレスと前記メモリ内のメールアドレスの一致不一致を検出し、一致するメールアドレスが検出される場合、当該メールアドレスの属性情報と優先ランク情報とに基いてメール着信音、バイブレータ、着信ＬＥＤ、メール着信メッセージ音声鳴動の制御を行う制御手段とが具備される。【選択図】　図１
2004054374.tif 000002
【特許請求の範囲】
【請求項１】
メールアドレスと名前と属性と優先ランクの組を複数登録しておき、メール着信時に交換機側から送られてくるメールアドレスと前記メモリ内のメールアドレスの一致、不一致を検出し、一致するメールアドレスが検出される場合、当該メールアドレスの属性及び優先ランクと、前記設定されている属性及び優先ランクとに基づいてメール受信を知らせる動作を判断し、判断結果に基いた所定の処理を行うことを特徴とする携帯通信端末装置のメール着信制御方式。
【請求項２】
前記判断の結果、一致のメールアドレスからの受信が検出された場合、当該メールアドレスの属性情報と優先ランク情報とに基いてメール着信音、バイブレータ、着信ＬＥＤ、メール着信メッセージ音声鳴動の制御を行うことを特徴とする請求項１に記載の携帯通信端末装置のメール着信制御方式。
【請求項３】
前記判断の結果、不一致のメールアドレスからの受信が検出された場合、着信したメールは受信メールを格納するメモリーへ格納することなく破棄する制御手段を具備することにより限られたメール格納メモリーを有効に使用することを特徴とする請求項１に記載の携帯通信端末装置のメール着信制御方式。
【請求項４】
メールアドレスと名前と属性と優先ランクの組を複数登録するメモリと、メール着信制御を判断する属性および優先ランクを設定する設定手段と、メール着信時に交換機側から送られてくるメールアドレスと前記メモリ内のメールアドレスの一致、不一致を検出し、一致するメールアドレスが検出される場合、当該メールアドレスの属性及び優先ランクと、前記設定されている属性及び優先ランクとに基づいてメール受信を知らせる動作を判断し、判断結果に基いた所定の処理を行う制御手段とを具備したことを特徴とする携帯通信端末装置。
【請求項５】
前記制御手段が、判断の結果、一致のメールアドレスからの受信が検出された場合、当該メールアドレスの属性情報と優先ランク情報とに基いてメール着信音、バイブレータ、着信ＬＥＤ、メール着信メッセージ音声鳴動の制御を行うことを特徴とする請求項４に記載の携帯通信端末装置。
【請求項６】
前記制御手段が、判断の結果、不一致のメールアドレスからの受信が検出された場合、着信したメールは受信メールを格納するメモリーへ格納することなく破棄することにより、限られたメール格納メモリーを有効に使用することを特徴とする請求項４に記載の携帯通信端末装置。
【発明の詳細な説明】
【０００１】
【発明の属する技術分野】
本発明は携帯通信端末装置およびそのメール着信制御方式に関し、メールアドレス帳機能を備える携帯通信端末装置に適するメール着信制御方式に関する。
【０００２】
【従来の技術】
現在移動体通信は爆発的に普及しており、セルラ電話、ＰＨＳ、メール通信端末などの携帯通信端末装置を日常的に携帯し活用する個人ユーザーは増大している。
【０００３】
常に携帯通信端末装置を携帯することにより、“何時でも、何処でも、誰とでも”という通信の理想とされる環境が現実のものとなり、携帯通信端末装置によって、使用者は屋外や移動中など、殆どあらゆる状況において通話が可能である。
【０００４】
しかし上記理想的と思われる環境は、視点を変えると、“何時でも、何処でも、誰からでも”通信を強要される、という重要な問題を生じさせる。
【０００５】
即ち、携帯通信端末装置の使用者が、メール着信のリンガ／表示／バイブレータ／音声メッセージでの着信アナウンス／メール着信ＬＥＤでのメ−ル着信状態アナウンスを避けたい状況であっても、携帯通信端末装置の使用者の事情にかかわらずメール着信が発生し、メール着信のリンガ／表示／バイブレータ／音声メッセージでの着信アナウンス／メール着信ＬＥＤでのメ−ル着信状態が通知される。
【０００６】
携帯通信端末装置の使用者にも、状況（何時、何処）と情報の内容（誰）によって、メール受信の状態通知を避けたい場合があることが想像される。即ち状況に応じての、メール受信という情報の到来を示すメール着信のリンガ／表示／バイブレータ／音声メッセージでの着信アナウンス／メール着信ＬＥＤの制御、選択である。
【０００７】
電話機での着信、リンガの選択、制限に関する従来の技術としては、例えば“特公平１−２６５８１号公報”や“特願平１１−２３３１７４”等があるが、これらは携帯電話機での着信リンガ等の着信通知に関するものである。
【０００８】
【発明が解決しようとする課題】
メール送受信機能を有する電話機や情報端末の普及は増加の一途であり、現在発売されている携帯電話機にメール機能を装備していない機種は存在しないほどであり、電話の着信よりメール着信に関するリンガ等の着信通知が、電話の着信と同様にところ構わず通知される問題が発生している。
【０００９】
ここで問題になるのは、メール着信という情報を選択、制限する根拠は客観的な条件ではなく、携帯通信端末装置の使用者の主観にのみ依存し、しかも同一の携帯通信端末装置の使用者であっても状況によって要求が変化する点である。
【００１０】
即ち、同じメール内容Ａに対して、携帯通信端末装置の使用者は、「“いまの状況”では“Ａの情報”が得られても“メール着信通知は必要ない”。」、「“この状況”なら“Ａの情報”が得られるなら“メール着信通知が欲しい”。」と、同じＡに対して反対の態度を取り得ることが想像される。
【００１１】
従来の方式はメール送信者を区別することなく、メール受信について、メール着信のリンガ／表示／バイブレータ／音声メッセージでの着信アナウンス／メール着信ＬＥＤを一括して制御している。
【００１２】
本発明は上記の点にかんがみてなされたもので、メールアドレス帳機能を備える携帯通信端末装置に適する、メール着信の通知制御方式を提供することにより操作性の優れた装置を提供することを目的とする。
【００１３】
【課題を解決するための手段】
現在世の中に出回る大多数の携帯通信端末装置にはメールアドレス帳機能が搭載されている。本発明は、上記従来の技術の欠点を改善する為に、メールアドレス帳機能を有する携帯通信端末装置において、このメールアドレス帳機能を応用し、リンガ等によるメール着信通知を許可するかどうか、着信したメールアドレスを選別、限定する。
【００１４】
すなわち、請求項１に記載の発明は、メールアドレスと名前と属性と優先ランクの組を複数登録するメモリと、メール着信通知を許可する属性および優先ランクを設定する設定手段と、メール着信時に基地側から送られてくるメールアドレスと前記メモリ内のメールアドレスの一致不一致を検出し、一致するメールアドレスが検出された場合、当該メールアドレスの属性情報と優先ランク情報と、前記設定されている属性及び優先ランクとに基いてメール着信を通知するか、判断し、判断結果に基いた所定の処理を行う制御手段とが具備されたことを特徴とするメール着信制御方式である。
【００１５】
また、請求項２に記載する本発明は、前記メール受信制御手段の判断の結果、一致のメールアドレスからの受信が検出された場合、当該メールアドレスの属性情報と優先ランク情報とに基いてメール着信音、バイブレータ、着信ＬＥＤ、メール着信メッセージ音声鳴動の制御を行う着信制御方式である。
【００１６】
また、請求項２に記載する本発明は、前記メール受信制御手段の判断の結果、不一致のメールアドレスからの受信が検出された場合、着信したメールを格納するメモリーへ格納することなく破棄する制御を行う着信制御方式である。
【００１７】
【発明の実施の形態】
以下、本発明の実施の形態を図面を参照して詳細に説明する。
【００１８】
図１は、本発明の一実施の形態による携帯通信端末装置の構成を示すブロック図である。
【００１９】
図１に示すように、本実施の形態の携帯通信端末装置２０は、無線通信のためのアンテナ１および無線部１１と、全体の動作を制御する制御部２と、使用者が携帯通信端末装置２０を操作するための操作部６と、使用者に対して情報表示するための表示部１０と、メッセージを記憶するメッセージメモリ７と、メールアドレス帳を記憶するメールアドレス帳メモリ８と、音声の合成を行う音声合成部９と、マイク４と、スピーカ５と、名句４およびスピーカ５を制御するオーディオ部３と、使用者に対して振動で通知するためのバイブレータ１２とを有して構成される。
【００２０】
携帯通信端末装置の使用者は、操作部６を用いて、送受信が予想される人物の氏名等とそのメールアドレスとをメールアドレス帳メモリ８に予め登録しておく。
【００２１】
本実施の形態の携帯通信端末装置２０では、上記氏名等とそのメールアドレスに加えて、その人物の属性と優先ランクをメールアドレス帳メモリ８に登録する。例えば属性としてはＡ：会社関係、Ｂ：家族、Ｃ：友人、等が考えられ、例えば１、２、３、の３段階の優先ランクが規定され、ある人物に対して「Ａ、２」の属性と優先ランクが登録される。優先ランクは集合の概念を持ち、１は２と３を内包し２は３を内包する。
【００２２】
また、本実施の形態の携帯通信端末装置２０は、使用者の操作によってメール着信制御モードに遷移する。
【００２３】
このメール着信制御モードに遷移すると、携帯通信端末装置２０は、メール着信呼出しを許可する発呼者の属性と優先ランクを規定することを要求する。この要求に対し使用者によって行われるキー入力等の登録操作で、例えば「Ａ、３」と規定された場合には上記「Ａ、２」からのメール着信呼出しは許可され、「Ｂ、３：Ｃ、３」と規定された場合は「Ａ、２」からのメール着信呼出しは許可されない。
【００２４】
属性と優先ランクは、上記のように複数個登録、入力することも出来るし、メールアドレス帳で登録されないことも許される。登録されない場合は、本機能においてはその人物は電話帳に登録されない者とみなされ、携帯通信端末装置２０は使用者の設定によりメール着信通知を行わないことも可能、且つ破棄することも可能である。
【００２５】
図２は、図１に示した制御部による処理手順のフローチャートを示す図である。
【００２６】
また、図３は、図１に示した制御部による処理手順のフローチャートを示す図であり、図２に続く処理を示す図である。
【００２７】
図２に示すフローチャートの如く、制御部２はメール着呼を検出（Ｓ１）すると、メールアドレス帳に登録されているか判断（Ｓ２）し、未登録の場合は破棄設定か判断（Ｓ３）し、破棄設定の場合着信したメールは削除（Ｓ４）され処理を終了する。
【００２８】
メールアドレスに登録されている場合はメール着信鳴動ありか判断（Ｓ５）し、鳴動ありの場合は着信鳴動処理（Ｓ６）を行う。
【００２９】
次にメールＬＣＤ表示ありか判断（Ｓ７）し、表示ありの場合はＬＣＤ表示処理（Ｓ８）を行う。
【００３０】
次にメールＬＥＤ表示ありか判断（Ｓ９）し、表示ありの場合はＬＥＤ表示処理（Ｓ１０）を行う。
【００３１】
次にバイブレータ動作ありか判断（Ｓ１１）し、バイブレータ動作必要の場合はバイブレータ制御処理（Ｓ１２）を行う。
次にメール着信動作音声アナウンスありか判断（Ｓ１３）し、アナウンスありの場合は音声アナウンス処理（Ｓ１４）を行う。
【００３２】
その後、メールデータを格納（Ｓ１５）し、処理を終了する。
【００３３】
【発明の効果】
第１の効果は、メールアドレスと名前と属性と優先ランクの組を複数登録するメールアドレス帳メモリと、メール着信を通知する属性および優先ランクを設定する設定手段と、メール着信時に基地側から送られてくるメールアドレスと前記メモリ内のメールアドレスの一致不一致を検出し、一致するメールアドレスが検出される場合、当該メールアドレスの属性及び優先ランクと、前記設定されている属性及び優先ランクとに基づいてメール着信を通知するかどうかを判断し、判断結果に基いた所定の処理を行う制御手段とが具備されたことを特徴とするメール着信制御方式としたので、その時々で最適な条件によるメール着信制御を実現できる点にある。
【００３４】
第２の効果は、メール着信を許可する属性を設定する設定手段と、メール着信時に基地側から送られてくるメールアドレスと前記メモリ内のメールアドレスの一致不一致を検出し、不一致の場合着信したメールを破棄するかどうかを判断し、判断結果に基いた所定の処理を行う制御手段が具備されたことを特徴とするメール着信制御方式としたので、無駄なメール受信でメール格納メモリーを有効に使うことができる点にある。
【図面の簡単な説明】
【図１】
【図２】
【図３】
【符号の説明】
１　アンテナ
２　制御部
３　オーディオ部
４　マイク
５　スピーカ
６　操作部
７　メッセージメモリ
８　メールアドレス帳メモリ
９　音声合成部
１０　表示部
１１　無線部
１２　バイブレータ
【図１】
2004054374.tif 000003
【図２】
2004054374.tif 000004
【図３】
2004054374.tif 000005